(57)【特許請求の範囲】
【請求項１】
針電極と誘引電極との間に高圧の直流電圧を印加して、コロナ放電によるイオン風を発生させるための電源装置であって、前記電極の汚れを検出する検出手段と、前記電極の汚れが検出されたとき、電流を一定範囲内に保ちながら各電極に印加する出力電圧を上げて設定電圧にする制御手段とを備えたことを特徴とするイオン風発生用電源装置。
【請求項２】
針電極と誘引電極との間に高圧の直流電圧を印加して、コロナ放電によるイオン風を発生させるための電源装置であって、高電圧を発生させるための高電圧発生回路と、該高電圧発生回路に入力電圧を供給するスイッチング回路と、前記高電圧発生回路からの出力電圧が一定になるように前記スイッチング回路を制御する制御回路と、前記電極の汚れを検出するために前記高電圧発生回路への入力電圧を検出する検出回路とを備え、前記制御回路は、前記電極の汚れによる前記入力電圧の低下が検出されたとき、電流を一定範囲内に保ちながら出力電圧を上げて設定電圧になるように前記高電圧発生回路を制御することを特徴とするイオン風発生用電源装置。
【発明の詳細な説明】
【０００１】
【発明の属する技術分野】
本発明は、室内の分煙あるいは集塵用のイオン風を発生させるための電源装置に関する。
【０００２】
【従来の技術】
喫煙場所と非喫煙場所とに分煙するためのカーテン装置として、ファンを利用した風圧式に代わって、特許文献１に記載されているように、イオン風によるカーテンを形成して、空間を遮蔽するものがある。
【０００３】
このイオン風を発生させるための電源装置は、針電極と、誘引電極と、直流電源を備えている。両電極の間に高圧の直流電圧を印加すると、電極周辺の空間に絶縁破壊が生じ、コロナ放電が発生する。針電極の先端から多量の電子が放出され、空間内の塵埃や気体分子に付着し、イオン化する。イオン化した塵埃や気体分子は、誘引電極に向かって流れ、誘引電極に捕集され、電荷が消滅する。しかし、イオンや電子の速度が速いと、誘引電極に付着せず、室内に放出される。室内に放出された電子は、室内の塵埃や気体分子に付着しながら、後から押し寄せる電子やイオンにより直進していく。このように、空気の移動を伴わずに物質のみが移動するイオン風が発生して、カーテンが形成される。
【０００４】
上記の電源装置において、長期間使用していると、各電極に粉塵が付着する。すると、電流は流れるが電圧が降下し、コロナ放電が起きにくくなって、カーテン装置の機能が低下する。そこで、定期的に各電極をクリーニングして、電極をきれいに保つメンテナンスが必要となる。
【０００５】
また、粉塵の付着により、電極を支持する絶縁材の表面に沿って漏れ電流が流れ、絶縁材の表面絶縁性が劣化するおそれがある。これを防ぐために、出力電流を制限し、設定値以上流れなくする定電流回路を設け、さらに制限電流の範囲内で出力電圧が低下した場合、出力電圧を０Ｖにするカットオフ回路を設けることが特許文献２に記載されている。
【０００６】
【特許文献１】
特開２００２−９５９９８号公報
【特許文献２】
特開平１０−２８６４９０号公報（段落０００７）
【０００７】
【発明が解決しようとする課題】
上記のようにイオン風を利用したカーテン装置では、電極が汚れると、クリーニングをしなければならない。カーテン装置は、通常、天井や壁の上部に設置されるので、作業が非常にやりにくい。そのため、クリーニング回数を減らすことが望まれる。また、クリーニングを怠ると、出力電圧が低下し、最終的には上記のカットオフ回路が作動して、運転が停止してしまうことになる。
【０００８】
このように、カーテン装置を頻繁に停止させなければならない事態が発生すると、分煙できなくなり、室内の環境が悪化してしまう。そこで、本発明は、上記に鑑み、イオン風を利用したカーテン装置の運転が停止する回数を減らして、長期間にわたってイオン風を発生させることができる電源装置の提供を目的とする。
【０００９】
【課題を解決するための手段】
本発明による課題解決手段は、針電極と誘引電極との間に高圧の直流電圧を印加して、コロナ放電によるイオン風を発生させるための電源装置であって、前記電極の汚れを検出する検出手段と、前記電極の汚れが検出されたとき、電流を一定範囲内に保ちながら各電極に印加する出力電圧を上げて設定電圧にする制御手段とを備えたものである。
【００１０】
電極が汚れると、各電極に印加される電圧が低下するので、コロナ放電が起こりにくくなり、イオン風の発生が安定しない。そこで、電極の汚れを検出すると、過電流を防ぎながら一定の高電圧を出力する。電極が汚れていても、イオン風を安定して発生させるのに十分な高電圧が各電極に印加されることになる。これによって、電極のクリーニングを行わなくても、しばらく運転を継続することができ、クリーニングの回数を減らせる。
【００１１】
電極の汚れの検出は、高電圧を発生させるための高電圧発生回路への入力電圧を検出する検出回路によって行う。電極の汚れによって、高電圧発生回路の出力電圧が低下し、これに伴って高電圧発生回路への入力電圧が低下する。したがって、この入力電圧を検出することにより、電極の汚れを検出することができる。
【００１２】
出力電圧の制御は、高電圧発生回路に対して制御回路によって行う。制御回路は、電極の汚れによる入力電圧の低下が検出されたとき、電流を一定範囲内に保ちながら出力電圧を上げて設定電圧になるように高電圧発生回路を制御する。すなわち、入力電圧の低下量に応じて出力電圧の上昇量を算出して、算出値に基づいて制御信号を高電圧発生回路に出力して、高電圧発生回路を駆動する。したがって、出力電圧が低下しても、即座に設定電圧になるように出力されるので、各電極に所定の高電圧を印加でき、イオン風を安定して発生させることができる。
【００１３】
【発明の実施の形態】
本発明に係るイオン風を利用したカーテン装置を図１〜３に示す。カーテン装置は、イオン風を発生させるための電極ユニット１およびこれを収容するキャビネット２から構成される。
【００１４】
キャビネット２は、開閉可能な箱状とされ、上面に吸気口３が形成され、下面に放出口４が形成される。このキャビネット２は、壁に掛けられる、あるいは天井に埋め込まれる。なお、天井に埋め込む場合、図３に示すように、キャビネット２の下面は開放され、放出口４が形成された蓋５がねじにより着脱可能に取り付けられる。
【００１５】
電極ユニット１は、図４〜６に示すように、針電極６、誘引電極７、各電極６、７を装着した電極ケース８および電源装置９から構成される。電極ケース８は、電気絶縁性の合成樹脂によって上下面が開放された筒状に形成される。電極ケース８の長手方向の側面に沿って、支持部材１０がＬアングル１１を介して取り付けられ、支持部材１０の長手方向両端が、キャビネット２に固定された固定部材１２にねじ１３によって取り付けられる。電極ユニット１はキャビネット２に対して着脱可能となり、キャビネット２の吸気口３から電極ケース８を通って放出口４に至る通路が形成される。
【００１６】
また、支持部材１０の両端に形成されたねじ孔１４は円弧状に形成され、電極ケース８をねじ孔１４の範囲内で傾けて取り付けることができる。これらの支持部材１０、固定部材１２およびねじ１３によって、キャビネット２に対する電極ケース８の角度を変える角度可変機構が構成され、電極ケース８は幅方向の中心線上の支点を中心に傾斜可能とされる。電極ケース８の取付角度を変えることにより、イオン風の進行方向を設定できる。
【００１７】
針電極６は、図７に示すように、１枚のステンレス鋼板製の保持部２０から突出するように一体的に形成され、長手方向に複数の針電極６が一定間隔に並んでいる。針電極６は、先端が尖った略三角形状とされ、図８に示すように、先端側に段差を形成して、急激に細くしている。先端部２１の肉厚は、根元側の保持部２０の肉厚の１／２以下とされる。このように、針電極６の先端部２１を薄くすることにより、電子の発生箇所が先端および段差の角に限定される。磁界によって生じるローレンツ力により、先端側から集中的に放出される電子がさらに集束される。したがって、針電極６から放出される電子は、広がることなく真っ直ぐに飛び出し、イオン風の直進性を高めることができる。しかも、次々と多量の電子が放出され、先に進んだイオンや電子が押し出され、イオン風が到達する距離を長くできる。カーテンの有効範囲が電極ユニット１から遠く離れた位置まで達することになり、有効範囲が広くなって、カーテンの遮蔽力を高めることができる。なお、針電極６の先端側は、プレス加工により薄くされるが、エッチング、研削等の方法で薄くしてもよい。
【００１８】
そして、図６に示すように、針電極６は、電極ケース８の幅方向の中心線上に位置する。保持部２０がねじ２２により電極ケース８の側面に取り付けられ、針電極６は電極ケース８に着脱可能とされる。ねじ２２は電気絶縁性の合成樹脂製スペーサ２３に覆われ、電極ケース８から突出するねじ２２の先端には、電気絶縁性の合成樹脂製キャップ２４が被せられる。キャップ２４は、絶縁樹脂によってシールされて、電極ケース８に取り付けられる。
【００１９】
誘引電極７は、ステンレス鋼製の平板からなり、上下両端が外側に折り返されている。誘引電極７の表面には、導電性かつ非粘着性の被覆材によるコーティングが施されている。このコーティングは、導電性フッ素樹脂コーティングとされ、コバルト、ニッケルの微粒子にＰＴＦＥ（４フッ化エチレン樹脂）、ＰＦＡ（４フッ化エチレン−パーフロロアルコキシエチレン共重合樹脂）等のフッ素樹脂を含有させたコーティング材を用いて、誘引電極７を無電解メッキすることによって得られる。なお、フッ素樹脂の代わりに防汚性を有するシリコーン樹脂を用い、これに導電性の微粒子を混合したものでコーティングしてもよい。また、酸化チタン等の導電性を有する光触媒をコーティングしてもよい。
【００２０】
このようなコーティングすれば、導電性があるのでコロナ放電を妨げることなく、防汚性を高めることができる。したがって、誘引電極７の表面に塵埃等の汚れが付きにくくなり、クリーニング回数を減らすことができ、長期間にわたる連続運転が可能となる。
【００２１】
そして、２つの誘引電極７が、放出口寄りの電極ケース８の下部に対向して平行に配置される。誘引電極７と電極ケース８との間には、絶縁板２５が介装されている。絶縁板２５は、電極ケース８の内面に貼り付けられており、絶縁板２５に誘引電極７の上下の折り返し部分が接触している。このように、誘引電極７を直接電極ケース８に接触させないことにより、針電極６と誘引電極７との完全な電気絶縁を図り、例え塵埃が電極ケース８に付着しても沿面放電が生じないようにしている。
【００２２】
誘引電極７の外面にはスタッドボルト２６が固定されている。スタッドボルト２６の先端が電極ケース８の長手方向の側面を貫通して、外側に突出している。このスタッドボルト２６にナット２７を嵌めることにより、誘引電極７は電極ケース８に着脱可能に取り付けられる。スタッドボルト２６の先端およびナット２７に電気絶縁性の合成樹脂製キャップ２４が被せられ、キャップ２４は、絶縁樹脂によってシールされて、電極ケース８に取り付けられる。
【００２３】
２つの誘引電極７の長手方向の両端に、両電極７に接触するようにコ字状の支持金具２８が設けられる。支持金具２８は、電極ケース８にねじ止めされ、対向する２つの誘引電極７を電気的に接続している。
【００２４】
電源装置９は、図９に示すように、高電圧を発生させるための高圧トランスを有する高電圧発生回路３０と、高電圧発生回路３０に入力電圧を供給するスイッチング回路３１と、交流電圧を直流電圧に変換してスイッチング回路３１に供給する整流回路３２と、高電圧発生回路３０からの出力電圧が一定になるようにスイッチング回路３１を制御する制御回路３３と、運転中に異常状態になったことを検出する異常検出回路３４と、制御回路３３に駆動用電圧を供給する補助電源回路３５とを備えている。
【００２５】
これらの回路は、基板３６に実装され、図４に示すように、電気絶縁性の合成樹脂製スペーサ３７を介して電極ケース８の側面にねじ止めされる。そして、高電圧発生回路３０の＋側出力端子は、高圧ケーブルによって誘引電極７のスタッドボルト２６に接続され、−側出力端子は、高圧ケーブルによって針電極６を取り付けるためのねじ２２に接続される。針電極６に負の高電圧が印加され、誘引電極７に正の高電圧が印加される。
【００２６】
上記の電源装置９において、整流回路３２は、１００Ｖの交流電圧を整流して、約１４０Ｖの直流電圧を生成する。補助電源回路３５は、この直流電圧から１０数Ｖの電圧を生成して、制御回路３３に供給する。スイッチング回路３１は、制御回路３３からの制御信号に基づいて、入力された直流電圧から所定の範囲内、例えば約５５〜８０Ｖの電圧を生成する。制御回路３３は、外部ボリュームの操作によって設定された出力が得られるように、スイッチング回路３１の出力電圧を監視して、設定電圧になるように制御信号をスイッチング回路３１に出力する。また、制御回路３３は、高電圧発生回路３０の入力と出力との比が一定、例えば１：２になるように、制御信号を高電圧発生回路３０に出力する。高電圧発生回路３０は、他励方式で高圧トランスを駆動するものであって、制御信号に基づいてスイッチング素子のオン／オフ時間のタイミングを変化させて高圧トランスを駆動して、入力電圧を所定の電圧まで昇圧し、整流して正負の高電圧、例えば約±８．５ｋＶ〜±１１ｋＶの高電圧を出力する。
【００２７】
異常検出回路３４は、スイッチング回路３１から出力された高電圧発生回路３０への入力電圧を検出して、この入力電圧が所定値まで下降したときに制御回路３３に検出信号を出力する。これにより、電極６、７に塵埃が付着したときに発生する入力電圧の低下を検出できる。すなわち、異常検出回路３４は、電極６、７の汚れを検出する検出手段としての機能を果たす。
【００２８】
針電極６と誘引電極７の間に高電圧を印加して、イオン風を発生させる運転を続けていくと、各電極６、７、特に誘引電極７に塵埃が付着していく。すると、高電圧発生回路３０からの出力電圧が低下して、これに伴って高電圧発生回路３０の１次側の電圧も徐々に低下する。各電極６、７に印加される高電圧が低下すると、コロナ放電が起こりにくくなり、電子の放出量が少なくなる。したがって、イオン風が安定しなくなって、カーテン装置の機能低下を招く。
【００２９】
そこで、異常検出回路３４では、この電圧の低下を検出しており、高電圧発生回路３０に供給される入力電圧が所定値まで低下したことを検出すると、制御回路３３に検出信号を出力する。制御回路３３は、設定された出力電圧を得るために、高電圧発生回路３０に対して、入力電圧の低下量に応じてスイッチング素子のオン時間を長くするよう制御信号を出力するとともに、高電圧発生回路３０の出力電流が一定範囲内に収まるように制御信号を出力する。高電圧発生回路３０は、この制御信号に応じて駆動される。すると、高電圧発生回路３０から出力される電圧は上昇し、各電極６、７には設定された高電圧が印加されるので、電子の放出量が多くなり、イオン風が安定して、設定されたイオン風の有効範囲を維持できる。また、出力電流を一定範囲内にして、過電流が流れないように制御しているので、塵埃が付着した電極ケース８における各絶縁部材に流れる漏れ電流を抑制でき、絶縁部材の表面絶縁性の劣化を防止できる。
【００３０】
なお、所定値は、約５５〜８０Ｖの範囲内において、複数個設定しておくとよい。細かく高電圧発生回路３０を制御することができるので、イオン風の発生にばらつきが生じず、常に安定した運転を行える。あるいは、入力電圧を常時検出して、連続的に出力電圧を制御してもよい。
【００３１】
入力電圧が下限値以下、例えば４０Ｖ以下になったことが検出されたとき、制御回路３３は、異常検出回路３４からの検出信号により運転を停止させる。すなわち、針電極６や誘引電極７に塵埃が多量に蓄積することによって、電流は流れるが電圧は大きく降下する。この場合には、電極ユニット１のクリーニングが必要となる。そのため、運転を強制的に停止させて、クリーニングを促す。
【００３２】
以上のように高電圧発生回路３０を制御することによって、各電極６、７に塵埃が付着しても、高電圧を印加することが可能となるので、イオン風を安定して発生させることができる。そのため、長期間にわたってカーテン装置の運転を続けることが可能となって、クリーニング回数を減らすことができ、メンテナンスのためにカーテン装置を停止する期間を短くできる。
【００３３】
また、異常検出回路３４には、リミットスイッチが接続され、キャビネット２が開放される、あるいは蓋５が外されるといったときにリミットスイッチがオンする。異常検出回路３４は、リミットスイッチからオン信号が入力されると、制御回路３３に停止信号を出力する。すると、制御回路３３は、高電圧発生回路３０の出力電圧が０Ｖになるよう高電圧発生回路３０の動作を停止させて、インターロックする。ここで、上記の異常状態が解消して、リセットスイッチがオンされると、制御回路３３は、インターロックを解除する。
【００３４】
次に、上記のカーテン装置を使用した分煙システムを説明する。分煙システムでは、イオン風によるカーテンを形成して、空間を遮蔽することにより、浮遊物質の侵入防止、拡散阻止を図って、清浄な空間を形成する。なお、浮遊物質とは、塵埃、煙、オイルミスト、浮遊菌、臭気、有害物質（ホルムアルデヒド、ＶＯＣ等）、アンモニア、湿暖気、冷、蚊やハエ等の小型害虫である。
【００３５】
まず、カーテン装置の機能として、図１０に示すように、イオン風のカーテンによって、一方向から侵入する浮遊物質に対して侵入経路を遮断することにより、遮蔽された空間を清浄空間にすることができる。この場合、電極ユニット１の角度を調節して、侵入する浮遊物質に向かうようにカーテンの方向を設定するとよい。これによって、電荷を受けて沈降する粒子や分子が遮蔽された空間内に広がることを防止できる。一旦沈降した浮遊物質は再浮上することはない。なお、図中Ａがカーテン装置である。
【００３６】
また、図１１に示すように、カーテン装置Ａと吸引ファン４０を併用したプッシュプル方式にすれば、さらに外部からの侵入に対する遮蔽効果を高めることができる。すなわち、カーテン装置Ａに対向して吸引ファン４０を設置して、両者の間にカーテンを形成する。これによって、イオン風によるカーテンと風圧によるカーテンの相乗効果が得られ、浮遊物質の移動速度に打ち勝つだけのカーテンの遮蔽力が生じる。したがって、浮遊物質の移動速度が速くてもカーテンを突破することができず、浮遊物質の侵入を阻止できる。
【００３７】
他の機能として、図１２に示すように、カーテンによって浮遊物質の拡散経路を遮蔽できる。カーテンの方向を拡散しようとする浮遊物質に向かう方向に設定すると、浮遊物質はカーテンに遮られ、押し止められる。これによって、遮蔽された空間内の浮遊物質の拡散を防止できる。
【００３８】
さらに他の機能として、図１３に示すように、カーテンにより浮遊物質の拡散方向を規制して、任意の方向に誘導できる。これによって、浮遊物質を遮蔽された空間から周囲に広がることなく排出することができる。この場合、３つのカーテン装置Ａ，Ｂ，Ｃを併用することが効率的である。すなわち、前後２つのカーテン装置Ｂ，Ｃによるカーテンによって浮遊物質の前後を遮蔽し、真中のカーテン装置Ａによるカーテンによって浮遊物質を誘導する。真中のカーテンは、排気装置４１に向かって形成され、浮遊物質を排気装置４１に導く。前側のカーテンは、排気装置４１の上方に形成され、溢れる浮遊物質を押さえて、有効的に排気装置４１に導く。後側のカーテンは、浮遊物質の後方を遮蔽して、浮遊物質が吸引されるのに伴って余分な空気が後方から流れ込むのを防止する。
【００３９】
分煙システムは、カーテン装置Ａと他の空気清浄機器とを組み合わせて、室内に設置することによって構成される。イオン風によるカーテンによって遮蔽された空間内に空気清浄機器を配置して、遮蔽された空間内を清浄にしたり、あるいは遮蔽された空間から外に浮遊物質が出ないようにして、室内の他の空間を清浄に保つ。空気清浄機器として、換気装置、分煙機、煙分解機、空気清浄機、清浄機能あるいは換気機能付き空気調和機が挙げられる。本システムの実施例を以下に示す。
【００４０】
図１４では、換気扇４２を組み合わせている。天井に設置されたカーテン装置Ａからのイオン風によるカーテンによって、遮蔽された空間から煙の気相成分や粒子相成分といった浮遊物質が室内に拡散することを防ぎ、換気扇４２によって室外に排気する。このとき、フレッシュエアーにより酸素をこの空間に供給すると、一酸化炭素や二酸化炭素の濃度が上昇せず、空間内の環境悪化を防げる。なお、気相成分は、アンモニア、ホルムアルデヒド、アセトアルデヒド、窒素酸化物、一酸化炭素、二酸化炭素等である。粒子相成分は、塵埃、オイルミスト、浮遊菌等である。
【００４１】
図１５では、ダクト等の換気装置４３と分煙機４４とを組み合わせている。２つ以上のカーテン装置Ａを天井に設置して、イオン風によるカーテンによって閉ざされた空間を形成する。この空間内に、分煙機４４を設置し、さらに天井に換気装置４３を設置する。分煙機４４により粒子相成分を除去し、気相成分は換気装置４３によって室外に排出する。さらに、フレッシュエアーにより酸素をこの空間に供給すると、一酸化炭素や二酸化炭素の濃度の上昇を防止でき、空間内の清浄な環境を保てる。
【００４２】
図１６では、分煙機４４と煙分解機４５とを組み合わせている。２つ以上のカーテン装置Ａを天井に設置して、イオン風によるカーテンによって閉ざされた空間を形成する。この空間内に、分煙機４４を設置し、天井に煙分解機４５を設置する。分煙機４４により粒子相成分を除去し、煙分解機４５により気相成分を酸化分解する。これによって、外気を汚さずに清浄な空間が得られる。さらに、フレッシュエアーにより酸素をこの空間に供給すると、一酸化炭素や二酸化炭素の濃度の上昇を防止でき、空間内の清浄な環境を保てる。
【００４３】
上記の分煙システムの導入例を次に挙げる。室内の一画をカーテンで囲むと、喫煙コーナを設置できる。ここに、分煙機あるいは煙分解機を配置するとよい。事務所やレストランにおいて、カーテンによって禁煙席と喫煙席とに分けることができる。食堂、飲食店において、厨房やカウンタと客席との間にカーテンを形成すると、調理による煙、臭気等が客席に広がらず、客に不快感を与えることがなくなり、逆に浮遊菌や塵埃等が厨房や調理場に侵入せず、衛生的となる。トイレの入口にカーテンを形成すると、トイレから臭気が漏れ出すことを防止できる。自動車等の乗物の車内において、カーテンによって喫煙者を取り囲むことにより、同乗者に迷惑にならない。
【００４４】
なお、本発明は、上記実施形態に限定されるものではなく、本発明の範囲内で上記実施形態に多くの修正および変更を加え得ることは勿論である。検出手段として光センサを用い、電極の反射光を検出することにより、電極の汚れを検出してもよい。
【００４５】
電源装置は、カーテン装置用に限らず、集塵電極に高電圧を印加して、電気集塵を行う空気清浄機用に使用してもよい。
【００４６】
【発明の効果】
以上の説明から明らかな通り、本発明によると、運転中に電極が汚れてきたとき、出力電圧を上げるように制御するので、引き続きイオン風を安定して発生させることができる。これによって、電極が汚れても運転を継続することができ、長期間にわたって連続運転が可能となり、しかもイオン風の到達距離を長くでき、カーテンの遮蔽力を長期間維持できる。したがって、従来のように電極が汚れたとき、その都度クリーニングのために電源をオフする必要がなくなり、クリーニング回数が減って、メンテナンスの手間を軽減できる。この電源装置をカーテン装置に使用すれば、安定したカーテンの遮蔽性能が得られる。
【図面の簡単な説明】
【図１】    本発明の一実施形態のカーテン装置の斜視図
【図２】    カーテン装置のキャビネットの底面図
【図３】    他の形態のキャビネットの斜視図
【図４】    電極ユニットの角度可変機構を示す図
【図５】    キャビネットに対する電極ユニットの取付構造を示す図
【図６】    電極ユニットの断面図
【図７】    針電極を示す図
【図８】    針電極の先端部の拡大図
【図９】    電源装置の回路ブロック図
【図１０】  カーテン装置の機能説明図
【図１１】  カーテン装置の使用例を示す図
【図１２】  カーテン装置の機能説明図
【図１３】  カーテン装置の機能説明図
【図１４】  分煙システムの実施例を示す図
【図１５】  分煙システムの実施例を示す図
【図１６】  分煙システムの実施例を示す図
【符号の説明】
１    電極ユニット
２    キャビネット
６    針電極
７    誘引電極
８    電極ケース
９    電源装置
３０    高電圧発生回路
３１    スイッチング回路
３３    制御回路
３４    異常検出回路
４０    吸引ファン
４１    排気装置
４２    換気扇
４３    換気装置
４４    分煙機
４５    煙分解機
Ａ    カーテン装置
【図１】
0003644941.tif 000002
【図２】
0003644941.tif 000003
【図３】
0003644941.tif 000004
【図４】
0003644941.tif 000005
【図５】
0003644941.tif 000006
【図６】
0003644941.tif 000007
【図７】
0003644941.tif 000008
【図８】
0003644941.tif 000009
【図９】
0003644941.tif 000010
【図１０】
0003644941.tif 000011
【図１１】
0003644941.tif 000012
【図１２】
0003644941.tif 000013
【図１３】
0003644941.tif 000014
【図１４】
0003644941.tif 000015
【図１５】
0003644941.tif 000016
【図１６】
0003644941.tif 000017